(57)【要約】  【課題】  薬液投与のために使用する医療用投与器具において、注射器を使用する人にとって、安全で且つ使いやすい医療用投与器具を提供すること。  【解決手段】  注射針４を被うように構成された先端キャップ８を有し、さらに該先端キャップ８の開口部９は、環状の縁部を有する形状とすることで、安定した投与動作を行なうことが可能となり、さらに前記先端キャップ８が投与器の正規位置に係合されたことを検知する検知部を設けることにより、先端キャップ８と投与器本体とが正規位置で結合したときのみ、投与動作を可能とすることで、安全性を高めることができる。【選択図】  図１
2005287676.tif 000002
【特許請求の範囲】
【請求項１】
投与部位への刺針を行う注射針と、前記注射針に接続され、その内部に薬液を収納するシリンジと、該シリンジを駆動する駆動手段と、を収容する外装ケースを有する医療用投与器具であって、
投与時に把持する前記外装ケースの注射針側の端部に、投与部位に当接させる開口部を有し、
前記開口部の先端形状が、環状の縁部を有するものとなっている、
ことを特徴とする医療用投与器具。
【請求項２】
請求項１記載の医療用投与器具において、
前記外装ケースは、投与器具本体部分から分離可能な先端キャップを有し、該先端キャップは、前記シリンジの外表面を覆うよう、前記投与器具本体部分に対して着脱自在に装着され、
前記開口部は前記先端キャップに形成されている、
ことを特徴とする医療用投与器具。
【請求項３】
請求項２記載の医療用投与器具において、
前記先端キャップの投与器具本体部分との結合部分に凹部または凸部を設けるとともに、前記本体部分の外装ケースに前記凹部または凸部と係合する凸部または凹部を設けた、
ことを特徴とする医療用投与器具。
【請求項４】
請求項２記載の医療用投与器具において、
前記外装ケースの投与器具本体部分に、前記シリンジ内の薬液を確認するための窓を設けた、
ことを特徴とする医療用投与器具。
【請求項５】
請求項２記載の医療用投与器具において、
前記先端キャップと前記投与器具本体部分との係合状態を検知する検知部を備えた、
ことを特徴とする医療用投与器具。
【請求項６】
請求項５記載の医療用投与器具において、
前記検知部は、
前記投与器具本体部分の内部に配設された検知レバーよりなり、前記先端キャップの着脱動作に連動して前記検知レバーの位置が移動することにより前記先端キャップと投与器具本体部分との係合状態を検知する、
ことを特徴とする医療用投与器具。
【請求項７】
請求項６記載の医療用投与器具において、
前記検知レバーは、前記先端キャップを投与器具本体から取り外すことで初期位置に移動する、
ことを特徴とする医療用投与器具。
【請求項８】
請求項６記載の医療用投与器具において、
前記検知レバーは、
前記先端キャップの着脱時に、前記投与器具本体部に設けた電気的な検知スイッチをオンまたはオフさせることで、前記先端キャップと投与器具本体部分との係合状態を検知する、
ことを特徴とする医療用投与器具。
【請求項９】
請求項５記載の医療用投与器具において、
前記検知部によって前記先端キャップが前記投与器具本体に係合している状態が検知された状態においてのみ、前記シリンジの駆動手段の動作が許可される、
ことを特徴とする医療用投与器具。
【発明の詳細な説明】
【技術分野】
【０００１】
本発明は、薬液等の投与に使用される医療用投与器具に関し、特に使用時の利便性の向上を図ったものに関するものである。
【背景技術】
【０００２】
従来、医療用投与器具は、成長ホルモン、インシュリン、あるいはその他の薬液を投与する場合に多く使用される。一般的に医療用投与器具を使用する場合、病院などにおいては、医師または看護師、家庭においては、家族または自分自身で投与を行っている。そして、一般的に投与器具というと手動式のものが多く、在宅用では電動のものは現在のところ見られない。
【０００３】
そんな中にあって、唯一、歯科専門病院に歯科麻酔用の電動注射器が存在する。この歯科麻酔用の注射器は、従来の手動式投与器具の欠点であった患者への痛みを軽減することと、使用する側の負担を軽減する目的で考案されたものである。（例えば、特許文献１参照。）
【０００４】
図６はこのような電動注射器の構造図を示す。図６を用いて、薬液６が注射針４から抽出される原理を説明する。いま、薬液６を充填されたシリンジ３は、注射針４がセットされた状態で本体１にセットされている。
【０００５】
ＳＷ１を押すとモーターＭが正回転し、この回転力がモーターＭと直結されたギアＧ１に伝動され、ギアＧ２を回転させる。ギアＧ２の回転は、同心円上に連結されたギアＧ３の回転となり、ギアＧ３の回転はギアＧ３と噛合っているラックギア７へと伝わり、ギア７の回転はギア７の同心円上のギアＧ６の回転となり、ギアＧ６は作動テコ２１に設けられたラックＧ７と噛合っているため、作動テコ２１が注射針方向へ移動していく。この作動テコ２１が注射針４方向へ移動していくと、押し出しピストンの役目を果たし、シリンジ３の中のゴム栓５を押すこととなり、結果的に注射針４の先から薬液が抽出される。
【０００６】
そして、実際の注射時は、前述の動作でエアー抜きを行った後、注射針４を患部に刺針し、薬液６を投与する。なお、図中、ＳＷ２はモーターＭを逆転させるためのスイッチであり、１５はモーターＭの駆動用バッテリーである。
【特許文献１】特開平７−２１３６１０号公報（第４図）
【発明の開示】
【発明が解決しようとする課題】
【０００７】
従来の医療用投与器具は以上のように構成されており、次のような問題点があった。
すなわち、図６の電動注射器の場合はグリップ式であるため、投与中は、片手で本体を握り支えるとともに、ＳＷ１をずっと押しつづけなければならない。この電動注射器は、形状も大きくバッテリー１５も重量があり、投与する人の肉体的負担が大きい。投与中は患者の部位に針先のみを刺した状態であるため、投与する人の手元がぐらつくと、患者への肉体的負担や、痛みが大きくなってしまう。
【０００８】
本発明は以上のような問題点を解消するためになされたもので、患者が自己投与する場合でも、より安全に薬液を投与することのできる医療用投与器具を提供することを目的とする。
【課題を解決するための手段】
【０００９】
本発明の請求項１にかかる医療用投与器具は、投与部位への刺針を行う注射針と、前記注射針に接続され、その内部に薬液を収納するシリンジと、該シリンジを駆動する駆動手段と、を収容する外装ケースを有する医療用投与器具であって、投与時に把持する前記外装ケースの注射針側の端部に、投与部位に当接させる開口部を有し、前記開口部の先端形状が、環状の縁部を有するものとなっている、ことを特徴とするものである。
【００１０】
本発明の請求項２にかかる医療用投与器具は、請求項１記載の医療用投与器具において、前記外装ケースは、投与器具本体部分から分離可能な先端キャップを有し、該先端キャップは、前記シリンジの外表面を覆うよう、前記投与器具本体部分に対して着脱自在に装着され、前記開口部は前記先端キャップに形成されている、ことを特徴とするものである。
【００１１】
本発明の請求項３にかかる医療用投与器具は、請求項２記載の医療用投与器具において、前記先端キャップの投与器具本体部分との結合部分に凹部または凸部を設けるとともに、前記本体部分の外装ケースに前記凹部または凸部と係合する凸部または凹部を設けた、ことを特徴とするものである。
【００１２】
本発明の請求項４にかかる医療用投与器具は、請求項２記載の医療用投与器具において、前記外装ケースの投与器具本体部分に、前記シリンジ内の薬液を確認するための窓を設けた、ことを特徴とするものである。
【００１３】
本発明の請求項５にかかる医療用投与器具は、請求項２記載の医療用投与器具において、前記先端キャップと前記投与器具本体部分との係合状態を検知する検知部を備えた、ことを特徴とするものである。
【００１４】
本発明の請求項６にかかる医療用投与器具は、請求項５記載の医療用投与器具において、前記検知部は、前記投与器具本体部分の内部に配設された検知レバーよりなり、前記先端キャップの着脱動作に連動して前記検知レバーの位置が移動することにより前記先端キャップと投与器具本体部分との係合状態を検知する、ことを特徴とするものである。
【００１５】
本発明の請求項７にかかる医療用投与器具は、請求項６記載の医療用投与器具において、前記検知レバーは、前記先端キャップを投与器具本体から取り外すことで初期位置に移動する、ことを特徴とするものである。
【００１６】
本発明の請求項８にかかる医療用投与器具は、請求項６記載の医療用投与器具において、前記検知レバーは、前記先端キャップの着脱時に、前記投与器具本体部に設けた電気的な検知スイッチをオンまたはオフさせることで、前記先端キャップと投与器具本体部分との係合状態を検知する、ことを特徴とするものである。
【００１７】
本発明の請求項９にかかる医療用投与器具は、請求項５記載の医療用投与器具において、前記検知部によって前記先端キャップが前記投与器具本体に係合している状態が検知された状態においてのみ、前記シリンジの駆動手段の動作が許可される、ことを特徴とするものである。
【発明の効果】
【００１８】
本発明にかかる医療用投与器具によれば、投与部位への刺針を行う注射針と、前記注射針に接続され、その内部に薬液を収納するシリンジと、該シリンジを駆動する駆動手段と、を収容する外装ケースを有する医療用投与器具であって、投与時に把持する前記外装ケースの注射針側の端部に、投与部位に当接させる開口部を有し、前記開口部の先端形状が、環状の縁部を有するものとしたので、前記環状の縁部が皮膚当て部として機能し、ぐらつかず安定した状態で薬液を投与することができる効果がある。
【００１９】
また、前記先端キャップの着脱時に、前記投与器具本体部に設けた電気的な検知スイッチをオンまたはオフさせることで、前記先端キャップと投与器具本体部分との係合状態を検知する検知部を設けたので、患者及び使用する側が誤って操作した場合でも、より安全で安心して使用することができ、非常に使いやすい医療用投与器具を提供することができる効果がある。
【００２０】
また、前記先端キャップの投与器具本体部分との結合部分に凹凸形状を設けるとともに、前記本体部分の外装ケースに前記凹凸形状と係合する凸凹形状を設けたことにより、前記先端キャップの正規位置を正確に使用者に示すことができる効果がある。
【００２１】
また、前記外装ケースに、前記シリンジ内の薬液を確認するための窓を設けたことにより、前記先端キャップ装着時にも薬液の状態を容易に確認することができる効果がある。
【発明を実施するための最良の形態】
【００２２】
以下に、本発明の医療用投与器具の実施の形態を図面とともに詳細に説明する。
（実施の形態１）
本発明の実施の形態１にかかる医療用投与器具について図１〜図５を用いて説明する。図１は、本実施の形態１に係る医療用投与器具の外観を示す斜視図、図２は、本医療用投与器具の先端キャップを取り外した状態の斜視図、図３は、本医療用投与器具の図２の状態から更に薬剤ホルダーを外した状態の斜視図、図４は、先端キャップ検知レバーとスイッチの関係を示す構造斜視図、図５は、本医療用投与器具の回路的な構成を説明するための電気回路ブロック図を示す。
【００２３】
図１に示すように、本医療用投与器具は、大きくは、駆動装置を有する本体部１４と、薬剤ホルダー１２に先端キャップ８が取り付いた状態でのホルダー部３０とで構成される。そして、前記本体部１４の前記薬剤ホルダー１２の先端キャップ８が取り付いた状態のものとは分離が可能な構造となっている。
【００２４】
この医療用器具使用時は、薬剤ホルダー１２を地面側に向け、親指と人差し指の間に薬剤ホルダー１２と本体部１４の間の部分を挟み、残る他の指で薬剤ホルダー１２を軽くグリップして保持する。次に、投与時は、薬液シリンジ２６、注射針３１等の準備ができていることを前提とした場合、先述の状態から、先端キャップ８の開口部９の部分を部位に当て、人差し指の腹で本体部１４の注射スイッチ１３を軽く押すことにより投与動作から投与終了動作までが行われる。投与時に先端キャップ８の開口部９を部位に当てることにより、投与器具本体は、安定した状態を保ちながら投与が可能である。
【００２５】
このとき、先端キャップ８の開口部９は、環状の細い縁部を有しており、先端キャップ８を投与部位に押し当てると、縁部に押し付けられた皮膚が陥没して、縁部の内側と外側の皮膚が盛り上がることとなる。このため、投与者の手元が多少振るえても、投与器具は投与部位からずれにくく、より安定して投与をおこなうことができる。
【００２６】
また本体部１４の側面には液晶ディスプレイ１７が設けられ、投与量の設定及び、投与時の状態、また、その他異常時にメッセージを表示させるための表示装置として機能している。
【００２７】
１０は、先端キャップに設けられた薬液を確認するための薬液確認窓であり、先端キャップ８の直径方向に１８０度対向する位置に二箇所に設けている。ここから、薬液カートリッジの残量あるいは、複数の混合型薬液使用の場合は、混合、溶解の状態を確認することができる。
【００２８】
先端キャップ開口部９は、注射針３１が突出したり、抜針時に引っ込んだりするための先端開口部である。８ａは、先端キャップ８を薬剤ホルダー１２に対して容易に嵌合させるための凸部であり、これに対応したものが図２の薬剤ホルダー側の凹部１２ａである。また、この凹凸部は先端キャップ８を薬剤ホルダー１２に任意の角度で挿入し、そこから軽く両回転方向に正転、逆転何れかで回転させることにより、前記凹凸部がかみ合う位置に来たときに、自然に嵌合ができるようになっている。
【００２９】
図２は、図１の状態から注射器本体部１４を取り外し、ホルダー部３０のみにしたあと、更に先端キャップ８を外した状態の図である。部分１２ｂは、本体部１４にホルダー部３０を係合させる時のフックの役割を果たす。図２において、薬液シリンジ２６の中に投与するための薬液が充填されている。また、シリンジホルダー２５は、前記薬液シリンジ２６をホールドするためのものである。スライドケース２４は、シリンジホルダー２５を内部にホールドしセットさせるためのものであり、セットした後に、薬剤ホルダー１２の内側においてシリンジホルダー２５と一体となり、ホルダー部３０の長手方向どちらにもスライド可能なように設けたスライドケースである。注射針３１は、薬液シリンジ２６の開口部にねじによる取り付けによりセットされる。
【００３０】
スライドケース２４をスライド可能にした理由は、スライドケース２４そのものの動きを注射針３１を皮膚（図示せず）に刺針する動作あるいは、注射針３１を皮膚から抜く動作とさせるためであり、スライドケース２４の駆動方法はどのような方法を用いるにしても、自動で刺針、抜針動作を行う場合に必要であるからである。
【００３１】
図２において、先端キャップ８が薬剤ホルダー１２に嵌合されるとき、先端キャップ検知レバー１６の端部である１６ｃが先端キャップ８の嵌合部と当接し、先端キャップ検知レバー１６（図４）を投与器本体１４側に移動する。この時、この端部１６ｃの移動した距離だけ先端キャップ検知レバー１６のもうひとつの端部である１６ａ及び１６ｂの部分が薬剤ホルダー１２の薬剤ホルダーフック部１２ｂから突出することになる。これが、先端キャップ８が薬剤ホルダー１２に取り付けられた時の先端キャップ検知レバー１６の動作である。
【００３２】
これらの動作を更に詳細に説明するために示したものが図３である。図３は、図２の状態から更に、薬剤ホルダー１２を取り外した状態を示している。図３において、ばね１１は先端キャップ８が薬剤ホルダー１２から取り外された時、先端キャップ検知レバー１６を元の位置に復帰させるためのばねである。このばね１１は、図４の先端キャップ検知レバー１６の一部である凹部１６ｅ，１６ｆと薬剤ホルダー１２の内部との間にセットされている。
【００３３】
また、図のように、先端キャップ検知レバー１６は、スライドケース２４の両側面に設けられた案内溝２４ａと薬剤ホルダー１２の内部との間でホルダー部３０の長手方向どちらにも摺動可能なように設けられている。
【００３４】
また、上記先端キャップ検知レバー１６は、１６ａ、１６ｂ、さらには１６ｃの強度アップと摺動時の動作をより確実にするため、１６ｄの部分において接続された一体形状となっている。
【００３５】
図４は、先端キャップ検知レバー１６の役割を更に詳細に説明するためのものである。先端キャップ検知レバー１６の後方部の１６ａ又は１６ｂの後方には、ホルダー検出スイッチ２８が設けられている。上記先端キャップ検知レバー１６、ばね１１、ホルダースイッチ２８により検知部を構成するものとなっている。
【００３６】
先端キャップ８が薬剤ホルダー１２に取り付けられた時、先端キャップ検知レバー１６ｃがホルダースイッチ２８側に移動し、先端キャップ検知レバー後部１６ａの後方のホルダースイッチ２８のノブ２８ａが先端キャップ検知レバー後部１６ａによって押される。このホルダースイッチ２８は、本体部１４の中に存在し、さらに図５に示すように、マイクロプロセッサ３２に接続されており、マイクロプロセッサ３２に信号として伝わる。
【００３７】
上記マイクロプロセッサ３２には、予めホルダースイッチ２８からスイッチＯＮの信号を受けた時のみ注射スイッチ１３及び、モータドライバ３３を動作可能にするようなプログラムが組み込まれてある。また、これとは逆に、スイッチＳＷ２８からスイッチＯＦＦの信号を受けた場合は、注射スイッチＳＷ１３とモータドライバ３３に動作停止する信号を送るようにプログラムが組み込まれてある。
【００３８】
このようにすることにより、結果的に先端キャップ８が薬剤ホルダー１２に取り付いていない状態では、注射スイッチＳＷ１３は操作不可能となる。つまり、先端キャップ８が薬剤ホルダー１２に取り付いていない場合には、薬液押出しピストン（図示せず）が突出することがない。
【００３９】
さらに、先端キャップ８が薬剤ホルダー１２に取りついた状態で図１の注射器本体部１４と分離されていた場合も当然、前述の構成から、ホルダースイッチ２８は動作せず、前記注射器本体１４に設けられた注射スイッチ１３は操作不可能となる。
【００４０】
また、一般的には、在宅で使用される医療用投与器具においては、患者に投与される薬液の種類は患者により決定されており、体重等により、毎回の薬液量も決定される場合が多い。このような場合、予め、薬液カートリッジの全体量及びエアー抜きの量を考慮した毎回の投与量をマイクロプロセッサ３２に入力しておき、薬液がゼロになり、あるいは演算の結果、薬液カートリッジを交換する必要があると判明した場合には、マイクロプロセッサ３２から、モータドライバ３３にモーターＭ１を逆回転させる、あるいはモータドライバ３５にモーターＭ２を逆回転させる指示を出すようにプログラムしておけば、薬液カートリッジを交換する場合には、自動で薬液押出ピストン（図示せず）が引っ込むこととなるため、使用者は、わざわざ薬液押出ピストン（図示せず）を引っ込めるためのスイッチを押さなくて済むこととなる。また、医療用投与器具そのものにそのためのスイッチを設ける必要もない。
【００４１】
図５において、センサ３４は、モーターＭ１，Ｍ２の回転動作を検知させるため、あるいはブザーは警告音、完了音等を発生させるため、あるいは電池は電気回路及びモータ等を駆動するため、更に液晶表示部１７は、投与量設定時或いは、その他の各動作時にメッセージを表示させるために設けており、全て、マイクロプロセッサ３２に接続されている。
【産業上の利用可能性】
【００４２】
本発明にかかる医療用投与器具は、先端キャップの投与部位との当接面が環状の縁部となっているために、安定した投与動作を行なうことが可能となり、投与動作を安定して行なうことができる医療用投与器具等に有用である。
【図面の簡単な説明】
【００４３】
【図１】本発明の実施の形態１における医療用投与器具の外観斜視図。
【図２】上記医療用投与器具のホルダー部から先端キャップを外した状態の斜視図。
【図３】上記医療用投与器具のホルダー部から先端キャップと薬剤ホルダーを取り外した状態の斜視図。
【図４】上記医療用投与器具の先端キャップ検知レバーとスイッチの関係を示す構造図。
【図５】上記医療用投与器具の電気的な構成を説明するための電気回路ブロック図。
【図６】従来の電動注射器の構造図。
【符号の説明】
【００４４】
８  先端キャップ
８ａ  先端キャップ凸部
９  先端キャップ開口部
１０  薬液確認窓
１１  ばね
１２  薬剤ホルダー
１２ａ  薬剤ホルダー凹部
１２ｂ  薬剤ホルダーフック部
１３  注射スイッチ
１４  注射器本体部
１５  電池
１６  先端キャップ検知レバー
１６ａ，１６ｂ  先端キャップ検知レバー後部
１６ｃ  先端キャップ検知レバーの先端キャップとの当接部
１６ｄ  先端キャップ接続部
１６ｅ，１６ｆ  先端キャップばね掛かり部（凹部）
１７  液晶表示部
２１  作動テコ
２２  連結金具
２３  透孔
２４  スライドケース
２４ａ  案内溝
２５  シリンジホルダー
２６  薬液シリンジ
２７  シリンジ内のゴム栓
２８  ホルダー検出スイッチ
２８ａ  スイッチノブ
２９  結合面
３０  ホルダー部
３１  注射針
３２  マイクロプロセッサ
３３  モータドライバ
３４  センサー
３５  モータドライバ
Ｍ１  モーター１
Ｍ２  モーター２
【図１】
2005287676.tif 000003
【図２】
2005287676.tif 000004
【図３】
2005287676.tif 000005
【図４】
2005287676.tif 000006
【図５】
2005287676.tif 000007
【図６】
2005287676.tif 000008